(57)【要約】【課題】利用者の行先階が第三者に知られることを抑制できるエレベータセキュリティシステムを提供する。【解決手段】エレベータセキュリティシステムは表示装置、制御部、表示切替命令部及び停止階決定部を備える。表示装置は乗りかごに関する情報を表示する。制御部は利用者の行先階に着床させた後、予め定められた基準階に乗りかごを帰着させる帰着運転を実行するとともに、表示装置の表示を制御する。表示切替命令部は、行先階を受け付けると、表示装置の表示モードを乗りかごの実際の位置を表示する通常モードから乗りかごの実際の位置を表示しない非表示モードへと切り替えさせる切替命令を出力する。停止階決定部は基準階に着床させる前に乗りかごを停止させる停止階としてのダミー階を決定する。制御部は切替命令を取得すると表示モードを非表示モードに切り替え、行先階への着床後にダミー階に乗りかごを停止させた後、基準階へ帰着させる。【選択図】図１
2019001640.tif 000002
【特許請求の範囲】
【請求項１】
乗りかごに関する情報を表示する表示装置と、
利用者の行先階に着床させた後、予め定められた基準階に前記乗りかごを帰着させる帰着運転を実行するとともに、前記表示装置の表示を制御する制御部と、
前記行先階を受け付けると、前記表示装置の表示モードを、前記乗りかごの実際の位置を表示する通常モードから前記乗りかごの実際の位置を表示しない非表示モードへと切り替えさせる切替命令を前記制御部に出力する表示切替命令部と、
前記基準階に着床させる前に前記乗りかごを停止させる停止階としてのダミー階を決定して前記制御部に出力する停止階決定部と、
を備え、
前記制御部は、前記切替命令を取得すると前記表示装置の表示モードを非表示モードに切り替え、前記行先階への着床後に前記ダミー階に前記乗りかごを停止させた後、前記基準階へ帰着させる、
エレベータセキュリティシステム。
【請求項２】
前記乗りかごが前記基準階に着床したか否かを判定する基準階着床判定部を更に備え、
前記制御部は、全ての前記行先階に着床するまでに、前記基準階着床判定部が前記基準階に着床したと判定すると、前記表示モードを前記通常モードに切り替える
請求項１に記載のエレベータセキュリティシステム。
【請求項３】
予め定められた特定利用者以外の第三者を検知する第三者検知部を更に備え、
前記表示切替命令部は、前記行先階を受け付けた状態で、前記第三者検知部が前記第三者を検知すると、前記表示モードを前記非表示モードに切り替えさせる前記切替命令を出力する
請求項１または請求項２に記載のエレベータセキュリティシステム。
【請求項４】
前記行先階の数である行先階数を取得する行先階数取得部を更に備え、
前記表示切替命令部は、前記行先階数が予め定められた閾値階数未満の場合、前記表示モードを前記非表示モードに切り替えさせる前記切替命令を出力する
請求項１から請求項３のいずれか１項に記載のエレベータセキュリティシステム。
【請求項５】
前記乗りかご内の同乗者数を取得する同乗者数取得部を更に備え、
前記表示切替命令部は、前記同乗者数が予め定められた閾値人数未満の場合、前記表示モードを前記非表示モードに切り替えさせる前記切替命令を出力する
請求項１から請求項４のいずれか１項に記載のエレベータセキュリティシステム。
【請求項６】
前記行先階と前記基準階との間に前記ダミー階として停止可能な階床があるか否かを判定する階間停止可否判定部と、
停止可能な前記階床がない場合、前記乗りかごの停止時間を決定する停止時間決定部と、
を更に備え、
前記制御部は、前記乗りかごの前記停止時間を、前記停止時間決定部が決定した前記停止時間に変更し、変更した前記停止時間の間、前記乗りかごを停止させた後、前記基準階への前記帰着運転を開始する
請求項１から請求項５のいずれか１項に記載のエレベータセキュリティシステム。
【請求項７】
前記制御部は、全ての前記ダミー階に停止させる前に前記利用者のホール呼びが登録されると、次の前記ダミー階へ停止させた後、前記ホール呼びに応答する
請求項１から請求項６のいずれか１項に記載のエレベータセキュリティシステム。
【請求項８】
前記制御部は、前記利用者のホール呼びの数である呼び数が予め定められた閾値呼び数以上であると、前記表示モードを前記非表示モードから前記通常モードに切り替える
請求項１から請求項７のいずれか１項に記載のエレベータセキュリティシステム。
【請求項９】
乗りかごに関する情報を表示する表示装置と、
利用者の行先階に着床させた後、予め定められた基準階に前記乗りかごを帰着させる帰着運転を実行するとともに、前記表示装置の表示を制御する制御部と、
前記行先階を受け付けると、前記表示装置の表示モードを、前記乗りかごの実際の位置を表示する通常モードから前記乗りかごの実際の位置を表示しない非表示モードへと切り替えさせる切替命令を前記制御部に出力する表示切替命令部と、
前記行先階と前記基準階との間における前記乗りかごの停止時間を決定する停止時間決定部と、
を備え、
前記制御部は、前記切替命令を取得すると前記表示装置の表示モードを非表示モードに切り替え、前記停止時間の間、前記乗りかごを停止させた後、前記基準階への前記帰着運転を開始する、
エレベータセキュリティシステム。
【発明の詳細な説明】
【技術分野】
【０００１】
実施形態は、エレベータセキュリティシステムに関する。
【背景技術】
【０００２】
利用者が乗った乗りかごの位置を表示する表示装置を備え、利用者が登録した行先階まで乗りかごを運転した後、１階等の基準階へと自動で帰着させる帰着運転機能を有するシステムが知られている。
【先行技術文献】
【特許文献】
【０００３】
【特許文献１】特開２００６−２６４８１９号公報
【発明の概要】
【発明が解決しようとする課題】
【０００４】
このようなシステムでは、表示装置に表示されている乗りかごの位置を見ることによって、利用者の行先階（例えば、住居階）が第三者に知られてしまうといった課題がある。また、乗りかごの基準階と行先階との間の運転時間から利用者の行先階が第三者に推測されてしまうといった課題がある。
【０００５】
そこで、本発明が解決しようとする課題は、利用者の行先階が第三者に知られることを抑制できるエレベータセキュリティシステムを提供することである。
【課題を解決するための手段】
【０００６】
上述した課題を解決し、目的を達成するために、実施形態のエレベータセキュリティシステムは、表示装置と、制御部と、表示切替命令部と、停止階決定部と、を備える。表示装置は、乗りかごに関する情報を表示する。制御部は、利用者の行先階に着床させた後、予め定められた基準階に前記乗りかごを帰着させる帰着運転を実行するとともに、前記表示装置の表示を制御する。表示切替命令部は、前記行先階を受け付けると、前記表示装置の表示モードを、前記乗りかごの実際の位置を表示する通常モードから前記乗りかごの実際の位置を表示しない非表示モードへと切り替えさせる切替命令を前記制御部に出力する。停止階決定部は、前記基準階に着床させる前に前記乗りかごを停止させる停止階としてのダミー階を決定して前記制御部に出力する。前記制御部は、前記切替命令を取得すると前記表示装置の表示モードを非表示モードに切り替え、前記行先階への着床後に前記ダミー階に前記乗りかごを停止させた後、前記基準階へ帰着させる。
【図面の簡単な説明】
【０００７】
【図１】図１は、第１実施形態のエレベータセキュリティシステムの全体構成図である。
【図２】図２は、特定利用者データーベースの一例を示すテーブルである。
【図３】図３は、エレベータセキュリティ装置のハードウェア構成を示すブロック図である。
【図４】図４は、第１実施形態のエレベータセキュリティシステムが実行するセキュリティ処理のフローチャートである。
【図５】図５は、第２実施形態のエレベータセキュリティシステムの全体構成図である。
【図６】図６は、第２実施形態のエレベータセキュリティシステムが実行するセキュリティ処理のフローチャートである。
【図７】図７は、第３実施形態のエレベータセキュリティシステムの全体構成図である。
【図８】図８は、第３実施形態のエレベータセキュリティシステムが実行するセキュリティ処理のフローチャートである。
【図９】図９は、第４実施形態のエレベータセキュリティシステムの全体構成図である。
【図１０】図１０は、第４実施形態のエレベータセキュリティシステムが実行するセキュリティ処理のフローチャートである。
【図１１】図１１は、第５実施形態のエレベータセキュリティシステムの全体構成図である。
【図１２】図１２は、第５実施形態のエレベータセキュリティシステムが実行するセキュリティ処理のフローチャートである。
【図１３】図１３は、第６実施形態のエレベータセキュリティシステムの全体構成図である。
【図１４】図１４は、第６実施形態のエレベータセキュリティシステムが実行するセキュリティ処理のフローチャートである。
【図１５】図１５は、第７実施形態のエレベータセキュリティシステムが実行するセキュリティ処理のフローチャートである。
【発明を実施するための形態】
【０００８】
以下の例示的な実施形態や変形例には、同様の構成要素が含まれている。よって、以下では、同様の構成要素には共通の符号が付されるとともに、重複する説明が部分的に省略される。実施形態や変形例に含まれる部分は、他の実施形態や変形例の対応する部分と置き換えて構成されることができる。また、実施形態や変形例に含まれる部分の構成や位置等は、特に言及しない限りは、他の実施形態や変形例と同様である。
【０００９】
＜第１実施形態＞
図１は、第１実施形態のエレベータセキュリティシステム１０の全体構成図である。エレベータセキュリティシステム１０は、乗りかご２０の実際の位置を非表示としつつ、停止階として決定されたダミー階に停止させた後、基準階へ着床することによって、第三者に利用者の行先階が知られることを抑制する。
【００１０】
図１に示すように、エレベータセキュリティシステム１０は、エレベータ装置１２と、利用者情報取得部１４と、エレベータセキュリティ装置１６とを備える。
【００１１】
エレベータ装置１２は、乗りかご２０と、行先階登録部２２と、行先階取得部２４と、内部情報取得部２５と、ホール呼び登録部２６と、ホール呼び取得部２８と、表示装置３０と、乗りかご位置検出部３２と、制御盤３４とを有する。
【００１２】
乗りかご２０は、利用者を乗せ、昇降路内を昇降する。
【００１３】
行先階登録部２２は、乗りかご２０に設けられている。行先階登録部２２は、利用者が選択した行先階を目的階として受け付けて登録する。
【００１４】
行先階取得部２４は、乗りかご２０に設けられている。行先階取得部２４は、登録された行先階を取得する。
【００１５】
内部情報取得部２５は、乗りかご２０の内部に設けられたカメラである。内部情報取得部２５は、乗りかご２０の出入り口付近または内部を撮影し、乗りかご２０に乗車した利用者の顔または行先階登録部２２を操作する際の利用者の顔の静止画または動画等の画像を生成して出力する。
【００１６】
ホール呼び登録部２６は、各階のホールに設けられている。ホール呼び登録部２６は、利用者から目的とする昇降の方向を受け付けてホール呼びとして登録する。ホール呼び登録部２６は、利用者が呼んだ階に乗りかご２０が到着すると、登録したホール呼びを消去する。
【００１７】
ホール呼び取得部２８は、各階のホールに設けられている。ホール呼び取得部２８は、ホール呼び登録部２６を介して利用者が呼んだ階床及び昇降の方向の情報を取得する。
【００１８】
乗りかご２０の行先階及びホール呼びの登録、消去、登録情報の取得を、制御盤３４が行ってもよい。
【００１９】
表示装置３０は、基準階等のエレベータホール（以下、ホール）に設けられている。表示装置３０は、静止画及び動画等の画像によって乗りかご２０に関する情報を表示する装置である。表示装置３０は、例えば、ＬＣＤ（Liquid  Crystal  Display：液晶ディスプレイ）及びドットマトリックスディスプレイであってよいが、これらに限定されない。表示装置３０は、例えば、制御盤３４からの情報に基づいて、乗りかご２０に関する情報である乗りかご２０の位置（例えば、階床）及び運転方向（即ち、昇降方向）を表示してよいが、表示する内容はこれらに限定されない。
【００２０】
乗りかご位置検出部３２は、制御盤３４からの指示に基づいて、乗りかご２０の位置を検出して、当該位置を示す位置情報として出力する。乗りかご位置検出部３２は、例えば、昇降路等に固定された光電式の装置の光線が乗りかご２０の昇降により遮光されることによって、乗りかご２０の位置を検出する装置であってよいが、これに限定されない。
【００２１】
制御盤３４は、例えば、ＣＰＵ等のハードウェアプロセッサ及び記憶装置等を有するコンピュータ、または、ＡＳＩＣ（Application  Specific  Integrated  Circuit）等の回路であってよい。制御盤３４は、例えば、乗りかご２０が設置されている建物に設置されていてよい。制御盤３４は、乗りかご位置検出部３２の制御とともに、乗りかご２０の昇降運転の制御全般を司る。具体的には、制御盤３４は、ホール呼びが登録されると、ホール呼びがされた階床へと乗りかご２０を昇降させる。制御盤３４は、ホール呼びの階に到着後、利用者が行先階を登録すると、当該行先階へと乗りかご２０を昇降させる。制御盤３４は、乗りかご２０を全ての行先階に着床させた後、乗りかご２０を予め定められた基準階まで自動的に帰着させる帰着運転を実行する。基準階は、例えば、１階である。更に、制御盤３４は、基準階への帰着運転の前に、後述する停止階決定部４４が決定したダミー階に乗りかご２０を停止させる。
【００２２】
制御盤３４は、表示装置３０の画像の表示を制御する。制御盤３４は、表示装置３０に乗りかご２０に関する情報である乗りかご情報を表示させる。具体的には、制御盤３４は、乗りかご情報として、乗りかご２０の位置に関する情報、乗りかご２０の運転方向（即ち、昇降方向）等を表示装置３０に表示させる。ここで、制御盤３４は、乗りかご２０の実際の位置を含む乗りかご情報を表示する通常モードと、乗りかご２０の実際の位置を表示しない非表示モードとで、表示装置３０の表示モードを切り替える。尚、制御盤３４は、非表示モードにおいて、表示装置３０に乗りかご２０の位置を表示させなくてもよく、また、乗りかご２０の実際の位置とは異なる偽装した位置等を表示装置３０に表示させてもよい。これにより、制御盤３４は、非表示モードにおいて、乗りかご２０の実際の位置を第三者に知られないようにすることができる。
【００２３】
利用者情報取得部１４は、エレベータ装置１２を利用可能な特定利用者を個々に識別するための識別情報（＝ＩＤ）である利用者情報を取得する。特定利用者は、エレベータ装置１２が設置されているマンションの住人等を含むエレベータ装置１２の利用を認められている人物のことである。例えば、利用者情報取得部１４は、利用者情報が記憶された利用者識別部材９０から利用者情報を取得してよい。利用者識別部材９０は、特定利用者が保持可能なＩＣ（Integrated  Circuit）チップまたはＩＣタグ等であってよい。利用者情報取得部１４は、エレベータセキュリティ装置１６と有線または無線によって情報を通信可能に接続されている。利用者情報取得部１４は、利用者識別部材９０から取得した利用者情報をエレベータセキュリティ装置１６に送信する。尚、利用者情報取得部１４は、カメラ等の撮影装置であってもよい。
【００２４】
エレベータセキュリティ装置１６は、利用者判定部４０と、乗車判定部４２と、停止階決定部４４と、表示切替命令部４６と、特定利用者データーベース４８とを備える。
【００２５】
利用者判定部４０は、利用者情報取得部１４から取得した利用者情報、及び、特定利用者データーベース４８に予め登録された複数の特定利用者の利用者情報に基づいて、当該利用者がエレベータ装置１２を利用可能な特定利用者か否かを判定する。例えば、利用者判定部４０は、特定利用者データーベース４８に予め登録された複数の特定利用者の利用者情報のそれぞれと取得した利用者情報とを比較し、利用者情報がいずれかの特定利用者の利用者情報と一致すると、当該利用者が特定利用者であると判定してよい。尚、利用者情報取得部１４がカメラ等の場合、利用者判定部４０は、撮影された利用者の顔の画像または動画等を取得して、当該画像等を解析することによって特定利用者か否かを判定してよい。
【００２６】
乗車判定部４２は、特定利用者と判定された利用者が乗りかご２０に乗車したか否かを判定する。例えば、乗車判定部４２は、内部情報取得部２５により撮影された利用者の顔または行先階登録部２２を操作する際の利用者の顔の静止画または動画等の画像を取得する。乗車判定部４２は、当該画像を解析することによって特定利用者が乗りかご２０に乗車したか否かを判定してよい。尚、乗車判定部４２は、他の方法によって特定利用者が乗りかご２０に乗車したか否かを判定してもよい。
【００２７】
停止階決定部４４は、行先階に着床させた後、基準階に着床させる前に乗りかご２０を停止させる停止階としてのダミー階を決定して制御盤３４に出力する。具体的には、停止階決定部４４は、特定利用者が乗りかご２０に乗車してから全ての行先階及びホール呼びに応答した後、乗りかご位置検出部３２から乗りかご２０の位置情報を取得する。停止階決定部４４は、位置情報が示す乗りかご２０の位置と基準階までの間で停止する停止階及び停止回数とを無作為に決定する。例えば、特定利用者が乗車してから全ての行先階及びホール呼びに応答した後、乗りかご２０が８階に停止し、基準階が１階である場合、停止階決定部４４は、２階から７階の間で１または複数のダミー階を無作為に決定する。停止階決定部４４は、線形合同法及びカオス乱数等の疑似乱数列生成アルゴリズムによって無作為にダミー階を決定してよいが、これらに限定されない。制御盤３４は、停止階決定部４４が決定したダミー階の情報を取得すると、行先階の着床後に、乗りかご２０をダミー階に停止させた後、基準階へ帰着させる。尚、制御盤３４は、複数のダミー階の情報を取得すると、基準階から遠いダミー階から順に停止させてよい。
【００２８】
表示切替命令部４６は、利用者から行先階を受け付けると、表示装置３０の表示モードを通常モードから非表示モードへと切り替えさせる切替命令を制御盤３４へ出力する。具体的には、表示切替命令部４６は、行先階取得部２４が特定利用者から受け付けた乗りかご２０の行先階を取得する。表示切替命令部４６は、指定した時間または指定した区間を運転する間、表示装置３０の表示モードを通常モードから非表示モードに切り替える命令を制御盤３４へ出力する。例えば、表示切替命令部４６は、基準階から行先階、及び、行先階から基準階までの運転で非表示モードに切り替える切替命令を出力してよい。尚、表示切替命令部４６は、基準階からホール呼び、及び、ホール呼びから基準階までの運転で非表示モードに切り替える切替命令を出力してもよい。制御盤３４は、行先階を受け付けた状態で、表示切替命令部４６から切替命令を取得すると、表示装置３０の表示モードを通常モードから非表示モードへと切り替える。
【００２９】
図２は、特定利用者データーベース４８の一例を示すテーブルである。図２に示すように、特定利用者データーベース４８は、特定利用者の利用者情報である利用者情報と、特定利用者の名前とを関連付けている。利用者判定部４０は、利用者情報取得部１４を介して利用者の利用者識別部材９０から取得した利用者情報と、特定利用者データーベース４８とが一致すれば、当該利用者を特定利用者と判定するとともに、特定利用者の名前を取得する。一方、利用者判定部４０は、取得した利用者情報が特定利用者データーベース４８になければ、当該利用者が特定利用者ではないと判定する。
【００３０】
図３は、エレベータセキュリティ装置１６のハードウェア構成を示すブロック図である。エレベータセキュリティ装置１６は、例えば、エレベータ装置１２を管理する管理センターに設けられたサーバ等のコンピュータである。図３に示すように、エレベータセキュリティ装置１６は、ＣＰＵ（Central  Processing  Unit）５０と、入力部５２と、表示部５４と、通信部５６と、記憶部５８と、バス５９とを有する。
【００３１】
ＣＰＵ５０は、ハードウェアプロセッサ等の各種の演算処理を実行する演算装置であって、エレベータセキュリティ装置１６の制御全般を司る。例えば、ＣＰＵ５０は、バス５９を介して接続された入力部５２、通信部５６及び記憶部５８から取得した情報及びプログラムに基づいて、演算処理を実行する。ＣＰＵ５０は、演算処理の演算結果または演算結果を反映させた制御信号を、バス５９を介して接続された表示部５４、通信部５６及び記憶部５８に出力する。具体的には、ＣＰＵ５０は、ＯＳ（Operating  System：オペレーティングシステム）及びエレベータのセキュリティプログラムを実行し、エレベータセキュリティ装置１６を制御する。セキュリティプログラムは、上述したエレベータセキュリティ装置１６の各機能を実現するプログラムである。ＣＰＵ５０が、セキュリティプログラムを実行することにより、利用者判定部４０、乗車判定部４２、停止階決定部４４、及び、表示切替命令部４６として機能する。これにより、コンピュータが、エレベータセキュリティ装置１６として機能する。
【００３２】
入力部５２は、エレベータセキュリティ装置１６の管理者等からエレベータセキュリティ装置１６に入力される情報を受け付ける。入力部５２は、タッチパネル、キーボード、及び、マウス等の入力装置であってよいが、これらに限定されない。
【００３３】
表示部５４は、ＣＰＵ５０から取得した画像情報に基づいて、画像を表示する。表示部５４は、ＬＣＤ（Liquid  Crystal  Display：液晶ディスプレイ）、ＣＲＴ（Cathode-Ray  Tube：ブラウン管）及びＰＤＰ（Plasma  Display  Panel：プラズマディスプレイ）等の表示装置であってよいが、これらに限定されない。表示部５４は、例えば、利用者情報、特定利用者の判定結果、及び、行先階等の情報を表示してもよい。
【００３４】
通信部５６は、エレベータセキュリティ装置１６がエレベータ装置１２等の外部装置と有線または無線によって通信するための装置である。通信部５６は、例えば、モデム、ルータ及びハブ等であってよいが、これらに限定されない。例えば、エレベータセキュリティ装置１６の通信部５６は、利用者情報取得部１４及びエレベータ装置１２との間で、利用者の利用者情報及び乗りかご２０の呼び登録情報等の情報を送受信する。
【００３５】
記憶部５８は、ＯＳ及びセキュリティプログラム等のプログラムの実行に必要なデータ、及び、セキュリティプログラムの実行によって生成されたデータ等を記憶する記憶媒体である。例えば、記憶部５８は、予めセキュリティプログラムを記憶してよい。また、記憶部５８は、特定利用者データーベース４８を記憶してよい。記憶部５８は、主記憶装置と、外部記憶装置とを含む。主記憶装置は、例えば、ＲＡＭ（Random  Access  Memory）、ＤＲＡＭ（Dynamic  RAM）、及び、ＳＲＡＭ（Static  RAM）等であってよいが、これらに限定されない。外部記憶装置は、ハードディスク、光ディスク、フラッシュメモリ、ＳＳＤ（Solid  State  Drive）及びＨＤＤ（Hard  Disk  Drive）であってよいが、これらに限定されない。外部記憶装置は、予めセキュリティプログラムを記憶していてもよい。尚、セキュリティプログラムは、Ｗｅｂ上の記憶装置（例えば、クラウド）等にアップロードされていてもよい。ＣＰＵ５０は、記憶部５８等のいずれかの記憶装置に記憶されたセキュリティプログラムを読み込むことによって、エレベータセキュリティ装置１６として機能する。
【００３６】
バス５９は、ＣＰＵ５０、入力部５２、表示部５４、通信部５６、及び、記憶部５８を互いに情報を送受信可能に接続する。
【００３７】
コンピュータであるエレベータセキュリティ装置１６は、ＣＰＵ５０、入力部５２、表示部５４、通信部５６、及び、記憶部５８を１つまたは複数有してもよい。
【００３８】
次に、エレベータセキュリティシステム１０の動作について説明する。図４は、第１実施形態のエレベータセキュリティシステム１０が実行するセキュリティ処理のフローチャートである。
【００３９】
図４に示すように、セキュリティ処理では、利用者判定部４０が、利用者情報取得部１４を介して、エレベータ装置１２の利用者の利用者情報を取得する（Ｓ１０２）。利用者判定部４０は、特定利用者データーベース４８及び利用者情報に基づいて、当該利用者がエレベータ装置１２を利用可能な特定利用者か否かを判定する（Ｓ１０４）。利用者判定部４０は、利用者が特定利用者でないと判定すると（Ｓ１０４：Ｎｏ）、セキュリティ処理を終了する。
【００４０】
利用者判定部４０が、利用者を特定利用者であると判定すると（Ｓ１０４：Ｙｅｓ）、乗車判定部４２は、乗りかご２０の近傍のカメラの撮影画像等に基づいて、特定利用者が乗りかご２０に乗車したか否かを判定する（Ｓ１０６）。乗車判定部４２は、特定利用者が乗りかご２０に乗車していないと判定すると（Ｓ１０６：Ｎｏ）、セキュリティ処理を終了する。
【００４１】
乗車判定部４２が、特定利用者が乗りかご２０に乗車したと判定すると（Ｓ１０６：Ｙｅｓ）、その旨を停止階決定部４４及び表示切替命令部４６に出力する。これにより、停止階決定部４４及び表示切替命令部４６は、特定利用者が登録した行先階の登録情報を行先階取得部２４から取得するとともに、制御盤３４は行先階へと乗りかご２０を発車させる（Ｓ１０８）。
【００４２】
表示切替命令部４６は、特定利用者が乗りかご２０に乗車した旨を取得すると、表示切替の命令を制御盤３４に出力することによって、表示装置３０の表示モードを通常モードから非表示モードに切り替えさせる（Ｓ１１０）。
【００４３】
制御盤３４は、行先階取得部２４が登録した全ての行先階に応答したか否かを判定する（Ｓ１１２）。制御盤３４は、全ての行先階に応答していないと判定すると（Ｓ１１２：Ｎｏ）、ステップＳ１１２を繰り返す。
【００４４】
制御盤３４は、乗りかご２０を全ての行先階へ着床させて、全ての行先階に応答させたと判定すると（Ｓ１１２：Ｙｅｓ）、ホール呼び取得部２８が取得した全てのホール呼びに応答したか否かを判定する（Ｓ１１４）。制御盤３４は、全てのホール呼びに応答していないと判定すると（Ｓ１１４：Ｎｏ）、ステップＳ１１２以降を繰り返す。
【００４５】
制御盤３４は、乗りかご２０を全てのホール呼びの階に着床させて、全てのホール呼びに応答したと判定すると（Ｓ１１４：Ｙｅｓ）、ダミー階決定指示を停止階決定部４４へ出力する。停止階決定部４４は、ダミー階決定指示を取得すると、現在乗りかご２０が停止中の行先階と基準階との間でダミー階を決定して、ダミー階の情報を制御盤３４へ出力する（Ｓ１１６）。制御盤３４は、ダミー階の情報を取得すると、行先階に停止中の乗りかご２０をダミー階へと発車させて停止させる（Ｓ１１８）。制御盤３４は、乗りかご２０をダミー階へ停止させた後、帰着運転を開始する（Ｓ１２０）。制御盤３４は、帰着運転を開始すると、表示装置３０の表示モードを非表示モードから通常モードに切り替えさせる（Ｓ１２２）。これにより、エレベータセキュリティシステム１０は、セキュリティ処理を終了する。
【００４６】
上述したように、第１実施形態のエレベータセキュリティシステム１０は、特定利用者が乗りかご２０に乗車した場合、表示装置３０を乗りかご２０の実際の位置を表示しない非表示モードに切り替えさせるとともに、行先階に着床させた乗りかご２０をダミー階に停止させた後、基準階へと帰着させている。これにより、エレベータセキュリティシステム１０は、表示装置３０の表示及び運転時間のいずれからも、特定利用者の行先階を、ホールに居る第三者に知られることを抑制できる。この結果、エレベータセキュリティシステム１０は、エレベータ装置１２を利用する特定利用者の安全性をより向上させることができる。
【００４７】
＜第２実施形態＞
図５は、第２実施形態のエレベータセキュリティシステム１０Ａの全体構成図である。第２実施形態のエレベータセキュリティシステム１０Ａは、特定利用者が乗りかご２０に乗車した後、全ての行先階に応答するまでに、基準階に着床すると、表示装置３０を通常モードに切り替えるとともに、ダミー階への停止を行わない。図５に示すように、エレベータセキュリティシステム１０Ａのエレベータセキュリティ装置１６Ａは、更に、基準階着床判定部６０を備える。
【００４８】
基準階着床判定部６０は、特定利用者が乗車を開始してから全ての行先階に応答した後、乗りかご位置検出部３２から乗りかご２０の位置の情報を取得して、乗りかご２０が基準階に着床したか否かを判定する。基準階着床判定部６０は、乗りかご２０が基準階に着床したと判定すると、当該着床判定結果を制御盤３４へ出力する。
【００４９】
制御盤３４は、全ての行先階に着床するまでに、基準階着床判定部６０が乗りかご２０が基準階に着床したと判定し、基準階着床判定部６０から基準階に着床した旨の着床判定結果を取得すると、表示装置３０の表示モードを通常モードに切り替える。
【００５０】
図６は、第２実施形態のエレベータセキュリティシステム１０Ａが実行するセキュリティ処理のフローチャートである。
【００５１】
図６に示すように、エレベータセキュリティシステム１０Ａは、ステップＳ１０２〜ステップＳ１１０までを実行する。
【００５２】
制御盤３４が、全ての行先階に着床して応答したと判定すると（Ｓ１１２：Ｙｅｓ）、基準階着床判定部６０は、乗りかご位置検出部３２から取得した乗りかご２０の位置情報に基づいて、乗りかご２０が基準階に着床したか否かを判定する（Ｓ２０２）。即ち、基準階着床判定部６０は、全ての行先階に着床するまでに、基準階に着床したか否かを判定する。
【００５３】
基準階着床判定部６０が、乗りかご２０が基準階に着床していないと判定すると（Ｓ２０２：Ｎｏ）、エレベータセキュリティシステム１０はステップＳ１１４以降を実行する。
【００５４】
一方、基準階着床判定部６０が、乗りかご２０が基準階に着床したと判定すると（Ｓ２０２：Ｙｅｓ）、その旨の着床判定結果を制御盤３４に出力する。制御盤３４は、着床判定結果を取得すると、表示装置３０の表示モードを非表示モードから通常モードに切り替える（Ｓ１２２）。これにより、第２実施形態のセキュリティ処理が終了する。
【００５５】
上述したように第２実施形態のエレベータセキュリティシステム１０Ａは、全ての行先階に応答するまでに基準階に着床すると、ダミー階に停止させることなく、表示装置３０を通常モードに切り替えて、セキュリティ処理を終了する。これにより、エレベータセキュリティシステム１０Ａは、ホールに居る第三者に特定利用者の行先階が知られることを抑制しつつ、ダミー階へ停止することによる待ち時間の増加を抑制できるとともに、表示装置３０の非表示モードによる不便さを低減できる。この結果、エレベータセキュリティシステム１０Ａは、他の利用者の利便性を損なうことなく、特定利用者の安全性を向上させることができる。
【００５６】
＜第３実施形態＞
図７は、第３実施形態のエレベータセキュリティシステム１０Ｂの全体構成図である。第３実施形態のエレベータセキュリティシステム１０Ｂは、ホールを含む予め定められた特定エリアに、特定利用者以外の第三者を検知した場合、表示装置３０の表示モードを通常モードから非表示モードに切り替えるとともに、ダミー階への停止を行う。図７に示すように、エレベータセキュリティシステム１０Ｂのエレベータセキュリティ装置１６Ｂは、更に、第三者検知部６２を備える。
【００５７】
第三者検知部６２は、予め定められた特定利用者以外の第三者を検知する。例えば、第三者検知部６２は、ホールを含む予め定められた特定エリアに居る第三者を検知する。第三者検知部６２は、例えば、ホールの前、及び、エレベータ装置１２が設置されたマンション等の建物のエントランス等に設置されたカメラが撮影した特定エリアの撮影画像に基づいて、特定エリアに居る人物の顔の静止画または動画等の画像を取得する。第三者検知部６２は、当該人物の画像を解析して、特定利用者データーベース４８に含まれる特定利用者か、特定利用者以外の第三者かを判定してよい。従って、本実施形態の特定利用者データーベース４８は、特定利用者の顔の画像を含んでよい。第三者検知部６２は、特定エリアの第三者を検知すると、検知した旨の検知結果を表示切替命令部４６へ出力する。
【００５８】
第３実施形態の表示切替命令部４６は、上述の各実施形態とは、表示モードを切り替える命令条件が異なる。具体的には、表示切替命令部４６は、行先階を受け付けた状態で、第三者検知部６２が第三者を検知して、第三者を検知した旨の検知結果を第三者検知部６２から取得した場合、表示装置３０の表示モードを通常モードから非表示モードに切り替えさせる切替命令を制御盤３４へ出力する。
【００５９】
図８は、第３実施形態のエレベータセキュリティシステム１０Ｂが実行するセキュリティ処理のフローチャートである。
【００６０】
図８に示すように、エレベータセキュリティシステム１０Ｂは、ステップＳ１０２〜ステップＳ１０６までを実行する。乗車判定部４２が、特定利用者が乗りかご２０に乗車していると判定すると（Ｓ１０６：Ｙｅｓ）、第三者検知部６２は、特定エリアに第三者が居るか否かを判定する（Ｓ３０２）。第三者検知部６２が、特定エリアに第三者が居ないと判定すると（Ｓ３０２：Ｎｏ）、エレベータセキュリティシステム１０Ｂは、セキュリティ処理を終了する。
【００６１】
第三者検知部６２が、特定エリアに第三者が居ると判定すると（Ｓ３０２：Ｙｅｓ）、当該検知結果を表示切替命令部４６へ出力する。制御盤３４は、行先階の登録情報を取得して、行先階へと発車する（Ｓ１０８）。表示切替命令部４６は、第三者検知部６２から第三者を検知した旨の検知結果を取得しているので、表示装置３０を非表示モードに切り替える切替命令を制御盤３４に出力して、表示装置３０の表示モードを通常モードから非表示モードに切り替えさせる（Ｓ１１０）。この後、エレベータセキュリティシステム１０Ｂは、ステップＳ１１２以降を実行して、行先階への応答後、条件に応じてダミー階に停止させた後、基準階へ帰着運転を実行する。
【００６２】
上述したように第３実施形態のエレベータセキュリティシステム１０Ｂは、第三者を検出した場合、表示装置３０の表示モードを非表示モードに切り替えるとともに、ダミー階への停止を行う。換言すれば、エレベータセキュリティシステム１０Ｂは、特定利用者のみが特定エリアに居る場合、表示装置３０を非表示モードに切り替えないので、ホールに居る特定利用者に不便をかけることなく、第三者に特定利用者の行先階を知られることを抑制できる。従って、エレベータセキュリティシステム１０Ｂは、他の利用者の利便性を損なうことなく、特定利用者の安全性を向上させることができる。
【００６３】
＜第４実施形態＞
図９は、第４実施形態のエレベータセキュリティシステム１０Ｃの全体構成図である。第４実施形態のエレベータセキュリティシステム１０Ｃは、特定利用者が乗車した乗りかご２０に登録されている行先階の数（以下、行先階数）が、予め定められた閾値階数未満の場合、表示装置３０の表示モードを通常モードから非表示モードに切り替えるとともに、ダミー階への停止を行う。図９に示すように、エレベータセキュリティシステム１０Ｃのエレベータセキュリティ装置１６Ｃは、更に、行先階数取得部６４を備える。
【００６４】
行先階数取得部６４は、行先階の数である行先階数を取得する。具体的には、行先階数取得部６４は、行先階取得部２４が取得した行先階の登録情報を取得して、行先階数をカウントして取得する。例えば、行先階が２階、３階及び８階の場合、行先階数取得部６４は、行先階数を３とカウントする。行先階数取得部６４は、カウントした行先階数を表示切替命令部４６へ出力する。
【００６５】
第４実施形態の表示切替命令部４６は、上述の各実施形態とは、表示モードを切り替える命令条件が異なる。具体的には、表示切替命令部４６は、行先階数が予め定められた閾値階数未満の場合、表示装置３０の表示モードを非表示モードに切り替えさせる切替命令を出力する。
【００６６】
図１０は、第４実施形態のエレベータセキュリティシステム１０Ｃが実行するセキュリティ処理のフローチャートである。
【００６７】
図１０に示すように、エレベータセキュリティシステム１０Ｃは、ステップＳ１０２〜ステップＳ１０８までを実行する。表示切替命令部４６は、行先階数取得部６４が行先階取得部２４から取得した行先階の登録情報に基づいてカウントした行先階数が閾値階数未満か否かを判定する（Ｓ４０２）。表示切替命令部４６は、行先階数が閾値階数以上であると判定すると（Ｓ４０２：Ｎｏ）、セキュリティ処理を終了する。一方、表示切替命令部４６は、行先階数が閾値階数未満であると判定すると（Ｓ４０２：Ｙｅｓ）、表示装置３０の表示モードを通常モードから非表示モードに切り替える命令を出力して、制御盤３４に表示装置３０の表示モードを通常モードから非表示モードに切り替えさせる（Ｓ１１０）。この後、エレベータセキュリティシステム１０Ｃは、ステップＳ１１２以降を実行する。
【００６８】
上述したように第４実施形態のエレベータセキュリティシステム１０Ｃは、特定利用者が乗車した乗りかご２０に登録された行先階の行先階数が閾値階数未満の場合、表示装置３０の表示モードを非表示モードに切り替えるとともに、ダミー階への停止を行う。これにより、エレベータセキュリティシステム１０Ｃは、行先階数が多く、乗りかご２０が多くの階床に着床して特定利用者が降車する階床が第三者に知られにくい場合、表示装置３０を非表示モードに切り替えないので、ホールに居る特定利用者に不便をかけることなく、第三者に特定利用者の行先階を知られることを抑制できる。従って、エレベータセキュリティシステム１０Ｃは、他の利用者の利便性を損なうことなく、特定利用者の安全性を向上させることができる。
【００６９】
＜第５実施形態＞
図１１は、第５実施形態のエレベータセキュリティシステム１０Ｄの全体構成図である。第５実施形態のエレベータセキュリティシステム１０Ｄは、特定利用者が乗車した乗りかご２０に同乗している他の利用者の数（以下、同乗者数）が、予め定められた閾値人数未満の場合、表示装置３０の表示モードを通常モードから非表示モードに切り替えるとともに、ダミー階への停止を行う。図１１に示すように、エレベータセキュリティシステム１０Ｄのエレベータ装置１２Ｄは、更に、同乗者数算出部６６を備えるとともに、エレベータセキュリティ装置１６Ｄは、更に、同乗者数取得部６８を備える。
【００７０】
同乗者数算出部６６は、例えば、乗りかご２０に設置されたカメラ等の内部情報取得部２５によって撮影された乗りかご２０の内部の静止画または動画を含む画像等の内部情報を取得し、当該内部情報の画像を解析することによって、特定利用者が乗車する乗りかご２０内の同乗者数をカウントしてよい。
【００７１】
同乗者数取得部６８は、同乗者数算出部６６がカウントした乗りかご２０内の同乗者数を取得して、表示切替命令部４６へ出力する。
【００７２】
第５実施形態の表示切替命令部４６は、上述の各実施形態とは、表示モードを切り替える命令条件が異なる。具体的には、表示切替命令部４６は、同乗者数が予め定められた閾値人数未満の場合、表示装置３０の表示モードを非表示モードに切り替えさせる切替命令を出力する。
【００７３】
図１２は、第５実施形態のエレベータセキュリティシステム１０Ｄが実行するセキュリティ処理のフローチャートである。
【００７４】
図１２に示すように、エレベータセキュリティシステム１０Ｄは、ステップＳ１０２〜ステップＳ１０８までを実行する。表示切替命令部４６は、行先階数取得部６４が行先階取得部２４から取得した行先階の登録情報に基づいてカウントした行先階数が閾値階数未満か否かを判定する（Ｓ４０２）。表示切替命令部４６は、行先階数が閾値階数以上であると判定すると（Ｓ４０２：Ｎｏ）、内部情報取得部２５からの乗りかご２０の内部情報に基づいて同乗者数算出部６６がカウントした同乗者数を同乗者数取得部６８から取得し、同乗者数が閾値人数未満か否かを判定する（Ｓ５０２）。表示切替命令部４６は、同乗者数が閾値人数以上であると判定すると（Ｓ５０２：Ｎｏ）、セキュリティ処理を終了する。一方、表示切替命令部４６は、同乗者数が閾値人数未満であると判定すると（Ｓ５０２：Ｙｅｓ）、表示装置３０の表示モードを通常モードから非表示モードに切り替える命令を出力して、制御盤３４に表示装置３０の表示モードを通常モードから非表示モードに切り替えさせる（Ｓ１１０）。この後、エレベータセキュリティシステム１０Ｄは、ステップＳ１１２以降を実行する。
【００７５】
上述したように第５実施形態のエレベータセキュリティシステム１０Ｄは、特定利用者が乗車した乗りかご２０の同乗者数が閾値人数未満の場合、表示装置３０の表示モードを非表示モードに切り替えるとともに、ダミー階への停止を行う。これにより、エレベータセキュリティシステム１０Ｄは、同乗者数が多く、乗りかご２０が多くの階床に着床して特定利用者が降車する階床が第三者に知られにくい場合、表示装置３０を非表示モードに切り替えないので、ホールに居る特定利用者に不便をかけることなく、第三者に特定利用者の行先階を知られることを抑制できる。従って、エレベータセキュリティシステム１０Ｄは、他の利用者の利便性を損なうことなく、特定利用者の安全性を向上させることができる。
【００７６】
＜第６実施形態＞
図１３は、第６実施形態のエレベータセキュリティシステム１０Ｅの全体構成図である。第６実施形態のエレベータセキュリティシステム１０Ｅは、乗りかご２０が全ての行先階及びホール呼びに応答した後、行先階から基準階までに停止可能なダミー階がない場合、乗りかご２０の停止時間を変更する。図１３に示すように、エレベータセキュリティシステム１０Ｅのエレベータセキュリティ装置１６Ｅは、更に、階間停止可否判定部７２と、停止時間決定部７４とを備える。
【００７７】
階間停止可否判定部７２は、乗りかご位置検出部３２からの位置情報に基づいて検出した乗りかご２０が停止している行先階と基準階との間にダミー階として停止可能な階床があるか否かを判定する。例えば、基準階が１階で乗りかご２０が２階に停止している場合、及び、基準階が１階で２階が急行ゾーン（通常停止しない階床）で乗りかご２０が３階に停止している場合、階間停止可否判定部７２は、停止可能な階床なしと判定する。一方、乗りかご２０が５階に停止していて、２階から４階が停止可能な階床である場合、階間停止可否判定部７２は、停止可能な階床があると判定する。階間停止可否判定部７２は、判定結果を停止時間決定部７４へ出力する。
【００７８】
停止時間決定部７４は、ダミー階として停止可能な階床がなく、その旨の判定結果を階間停止可否判定部７２から取得すると、行先階等の階床で停止している乗りかご２０が帰着運転を開始するまでの乗りかご２０の停止時間を決定する。例えば、停止時間決定部７４は、予め設定された複数の停止時間から無作為に選択して、停止時間を決定してよい。具体的には、停止時間決定部７４は、予め設定された複数の停止時間に含まれる３秒、５秒、７秒及び９秒から無作為に選択して、停止時間を決定する。停止時間決定部７４は、例えば、線形合同法及びカオス乱数等の疑似乱数生成アルゴリズムによって、複数の停止時間から無作為に停止時間を選択してよい。尚、停止時間決定部７４は、他の方法によって無作為に停止時間を選択してもよい。停止時間決定部７４は、決定した停止時間を制御盤３４へ出力する。
【００７９】
制御盤３４は、乗りかご２０の停止時間（例えば、初期設定の停止時間）を、停止時間決定部７４が決定した停止時間に変更し、変更した停止時間の間、乗りかご２０を行先階等の階床に停止させた後、基準階への帰着運転を開始する。
【００８０】
図１４は、第６実施形態のエレベータセキュリティシステム１０Ｅが実行するセキュリティ処理のフローチャートである。
【００８１】
図１４に示すように、エレベータセキュリティシステム１０Ｅは、ステップＳ１０２〜ステップＳ１１４までを実行する。制御盤３４が全てのホール呼びに応答したと判定すると（Ｓ１１４：Ｙｅｓ）、階間停止可否判定部７２は、乗りかご２０が停止している階床と基準階との間に停止可能なダミー階があるか否かを判定する（Ｓ６０２）。階間停止可否判定部７２が、停止可能なダミー階があると判定すると（Ｓ６０２：Ｙｅｓ）、ステップＳ１１６以降を実行する。
【００８２】
階間停止可否判定部７２が、停止可能なダミー階がないと判定すると（Ｓ６０２：Ｎｏ）、その旨の判定結果を停止時間決定部７４へ出力する。停止時間決定部７４は、ダミー階がない旨の判定結果を取得すると、予め設定された複数の停止時間から停止時間を選択して決定し、停止時間の情報を制御盤３４へ出力する（Ｓ６０４）。制御盤３４は、停止時間の情報を取得すると、乗りかご２０の停止時間を、取得した停止時間に変更する。制御盤３４は、変更した停止時間の間、乗りかご２０を行先階等の階床に停止させた後（Ｓ６０６）、基準階への帰着運転を開始する（Ｓ１２０）。制御盤３４は、表示装置３０の表示モードを通常モードに切り替えて（Ｓ１２２）、セキュリティ処理を終了する。
【００８３】
上述したように第６実施形態のエレベータセキュリティシステム１０Ｅは、ダミー階がなく、乗りかご２０をダミー階へ停止させることができない場合、乗りかご２０の停止時間を変更して、変更した停止時間の間、乗りかご２０を行先階等の階床に停止させる。これにより、エレベータセキュリティシステム１０Ｅは、ダミー階に停止させることができない場合でも、第三者に特定利用者の行先階を知られることを抑制できる。従って、エレベータセキュリティシステム１０Ｅは、他の利用者の利便性を損なうことなく、特定利用者の安全性を向上させることができる。
【００８４】
＜第７実施形態＞
第７実施形態のエレベータセキュリティシステム１０Ｅは、第６実施形態と同様の構成を有するので全体構成図を省略する。第７実施形態のエレベータセキュリティシステム１０Ｅの制御盤３４は、全てのダミー階に乗りかご２０を停止させる前に、利用者のホール呼びが登録されると、次のダミー階（例えば、最寄りのダミー階）へ停止させた後、当該ホール呼びの階床に着床して、ホール呼びに応答する。
【００８５】
図１５は、第７実施形態のエレベータセキュリティシステム１０Ｅが実行するセキュリティ処理のフローチャートである。
【００８６】
図１５に示すように、エレベータセキュリティシステム１０Ｅは、ステップＳ１０２〜ステップＳ１１６までを実行する。制御盤３４は、停止階決定部４４が決定したダミー階へと乗りかご２０を発車させる（Ｓ７０２）。制御盤３４は、ホール呼び取得部２８が取得したホール呼びの登録情報を確認して、ダミー階への運転中にホール呼びが登録されているか否かを判定する（Ｓ７０４）。制御盤３４は、ホール呼びがないと判定すると（Ｓ７０４：Ｎｏ）、停止階決定部４４が決定した全てのダミー階に停止したか否かを判定する（Ｓ７０６）。制御盤３４は、全てのダミー階には停止していないと判定すると（Ｓ７０６：Ｎｏ）、ステップＳ７０４以降を繰り返す。制御盤３４は、全てのダミー階に停止したと判定すると（Ｓ７０６：Ｙｅｓ）、ステップＳ１２０以降を実行して、セキュリティ処理を終了する。
【００８７】
制御盤３４は、ダミー階への運転中にホール呼びが登録されていると判定すると（Ｓ７０４：Ｙｅｓ）、次のダミー階へ停止させた後（Ｓ７０８）、ステップＳ１２２を実行して、セキュリティ処理を終了する。
【００８８】
第７実施形態のエレベータセキュリティシステム１０Ｅは、ダミー階への運転中にホール呼びが登録された場合、次の最寄りのダミー階へ停止後、ホール呼びに応答する。これにより、エレベータセキュリティシステム１０Ｅは、ダミー階への運転中にホール呼びが登録された場合でも、全てのダミー階へ停止して基準階へ戻るまでの時間を待つ等の不便をかけることなく、第三者に特定利用者の行先階を知られることを抑制できる。従って、エレベータセキュリティシステム１０Ｅは、他の利用者の利便性を損なうことなく、特定利用者の安全性を向上させることができる。
【００８９】
＜第８実施形態＞
第８実施形態のエレベータセキュリティシステムは、エレベータ装置１２と、利用者情報取得部１４と、利用者判定部４０、乗車判定部４２、停止階決定部４４、表示切替命令部４６、特定利用者データーベース４８及び停止時間決定部７４を含むエレベータセキュリティ装置とを備える。換言すれば、第８実施形態のエレベータセキュリティシステムは、第６実施形態のエレベータセキュリティシステム１０Ｅから基準階着床判定部６０と、第三者検知部６２と、行先階数取得部６４と、同乗者数算出部６６と、同乗者数取得部６８と、階間停止可否判定部７２とを省略した構成を備える。尚、本実施形態では、停止時間決定部７４は、ダミー階の設定の可否に関わらず、行先階と基準階と間における乗りかご２０の停止時間を設定する。
【００９０】
上述の実施形態の各構成の機能、個数、接続関係等は適宜変更してよい。また、実施形態のフローチャートのステップの順序は適宜変更してよい。各実施形態の一部を変更して、他の実施形態と組み合わせてもよい。
【００９１】
例えば、制御盤３４は、表示装置３０が非表示モードである場合、ホール呼び取得部２８から利用者のホール呼びの登録情報を取得して、利用者のホール呼びの数である呼び数をカウントする。制御盤３４は、当該呼び数が予め定められた閾値呼び数以上であると、表示装置３０の表示モードを非表示モードから通常モードに切り替えてもよい。
【００９２】
上述の実施形態では、停止階決定部４４が、行先階と基準階との間にダミー階を設定する例を挙げたが、これに限定されない。例えば、停止階決定部４４は、行先階と基準階との間以外の階床をダミー階として設定してもよい。
【００９３】
上述の実施形態では、乗りかご２０に乗った利用者が特定利用者の場合に、各処理を実行する例を挙げて説明したが、乗りかご２０に乗った利用者が特定利用者か否かに関わらず、各処理を実行するようにしてもよい。
【００９４】
上述のエレベータ装置１２、１２Ｄの構成または機能の一部をエレベータセキュリティ装置１６、１６Ａ、１６Ｂ、１６Ｃ、１６Ｄ、１６Ｅに設けてもよい。エレベータセキュリティ装置１６、１６Ａ、１６Ｂ、１６Ｃ、１６Ｄ、１６Ｅの構成または機能の一部をエレベータ装置１２、１２Ｄに設けてもよい。
【００９５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９６】
１０、１０Ａ、１０Ｂ、１０Ｃ、１０Ｄ、１０Ｅ…エレベータセキュリティシステム、２０…乗りかご、３０…表示装置、３４…制御盤（制御部）、４４…停止階決定部、４６…表示切替命令部、６０…基準階着床判定部、６２…第三者検知部、６４…行先階数取得部、６６…同乗者数算出部、６８…同乗者数取得部、７２…階間停止可否判定部、７４…停止時間決定部。
【図１】
2019001640.tif 000003
【図２】
2019001640.tif 000004
【図３】
2019001640.tif 000005
【図４】
2019001640.tif 000006
【図５】
2019001640.tif 000007
【図６】
2019001640.tif 000008
【図７】
2019001640.tif 000009
【図８】
2019001640.tif 000010
【図９】
2019001640.tif 000011
【図１０】
2019001640.tif 000012
【図１１】
2019001640.tif 000013
【図１２】
2019001640.tif 000014
【図１３】
2019001640.tif 000015
【図１４】
2019001640.tif 000016
【図１５】
2019001640.tif 000017
【手続補正書】
【提出日】平成30年5月30日(2018.5.30)
【手続補正１】
【補正対象書類名】特許請求の範囲
【補正対象項目名】全文
【補正方法】変更
【補正の内容】
【特許請求の範囲】
【請求項１】
乗りかごに関する情報を表示する表示装置と、利用者の行先階に着床させた後、予め定められた基準階に前記乗りかごを帰着させる帰着運転を実行するとともに、前記表示装置の表示を制御する制御部と、前記行先階を受け付けると、前記表示装置の表示モードを、前記乗りかごの実際の位置を表示する通常モードから前記乗りかごの実際の位置を表示しない非表示モードへと切り替えさせる切替命令を前記制御部に出力する表示切替命令部と、前記基準階に着床させる前に前記乗りかごを停止させる停止階としてのダミー階を決定して前記制御部に出力する停止階決定部と、予め定められた特定利用者以外の第三者を検知する第三者検知部と、を備え、前記制御部は、前記切替命令を取得すると前記表示装置の表示モードを非表示モードに切り替え、前記行先階への着床後に前記ダミー階に前記乗りかごを停止させた後、前記基準階へ帰着させ、前記表示切替命令部は、前記行先階を受け付けた状態で、前記第三者検知部が前記第三者を検知すると、前記表示モードを前記非表示モードに切り替えさせる前記切替命令を出力するエレベータセキュリティシステム。
【請求項２】
乗りかごに関する情報を表示する表示装置と、利用者の行先階に着床させた後、予め定められた基準階に前記乗りかごを帰着させる帰着運転を実行するとともに、前記表示装置の表示を制御する制御部と、前記行先階を受け付けると、前記表示装置の表示モードを、前記乗りかごの実際の位置を表示する通常モードから前記乗りかごの実際の位置を表示しない非表示モードへと切り替えさせる切替命令を前記制御部に出力する表示切替命令部と、前記基準階に着床させる前に前記乗りかごを停止させる停止階としてのダミー階を決定して前記制御部に出力する停止階決定部と、前記行先階の数である行先階数を取得する行先階数取得部と、を備え、前記制御部は、前記切替命令を取得すると前記表示装置の表示モードを非表示モードに切り替え、前記行先階への着床後に前記ダミー階に前記乗りかごを停止させた後、前記基準階へ帰着させ、前記表示切替命令部は、前記行先階数が予め定められた閾値階数未満の場合、前記表示モードを前記非表示モードに切り替えさせる前記切替命令を出力するエレベータセキュリティシステム。
【請求項３】
乗りかごに関する情報を表示する表示装置と、利用者の行先階に着床させた後、予め定められた基準階に前記乗りかごを帰着させる帰着運転を実行するとともに、前記表示装置の表示を制御する制御部と、前記行先階を受け付けると、前記表示装置の表示モードを、前記乗りかごの実際の位置を表示する通常モードから前記乗りかごの実際の位置を表示しない非表示モードへと切り替えさせる切替命令を前記制御部に出力する表示切替命令部と、前記基準階に着床させる前に前記乗りかごを停止させる停止階としてのダミー階を決定して前記制御部に出力する停止階決定部と、前記乗りかご内の同乗者数を取得する同乗者数取得部と、を備え、前記制御部は、前記切替命令を取得すると前記表示装置の表示モードを非表示モードに切り替え、前記行先階への着床後に前記ダミー階に前記乗りかごを停止させた後、前記基準階へ帰着させ、前記表示切替命令部は、前記同乗者数が予め定められた閾値人数未満の場合、前記表示モードを前記非表示モードに切り替えさせる前記切替命令を出力するエレベータセキュリティシステム。
【請求項４】
乗りかごに関する情報を表示する表示装置と、利用者の行先階に着床させた後、予め定められた基準階に前記乗りかごを帰着させる帰着運転を実行するとともに、前記表示装置の表示を制御する制御部と、前記行先階を受け付けると、前記表示装置の表示モードを、前記乗りかごの実際の位置を表示する通常モードから前記乗りかごの実際の位置を表示しない非表示モードへと切り替えさせる切替命令を前記制御部に出力する表示切替命令部と、前記基準階に着床させる前に前記乗りかごを停止させる停止階としてのダミー階を決定して前記制御部に出力する停止階決定部と、前記行先階と前記基準階との間に前記ダミー階として停止可能な階床があるか否かを判定する階間停止可否判定部と、停止可能な前記階床がない場合、前記乗りかごの停止時間を決定する停止時間決定部と、を備え、前記制御部は、前記切替命令を取得すると前記表示装置の表示モードを非表示モードに切り替え、前記行先階への着床後に前記ダミー階に前記乗りかごを停止させた後、前記基準階へ帰着させ、前記制御部は、前記乗りかごの前記停止時間を、前記停止時間決定部が決定した前記停止時間に変更し、変更した前記停止時間の間、前記乗りかごを停止させた後、前記基準階への前記帰着運転を開始するエレベータセキュリティシステム。
【請求項５】
乗りかごに関する情報を表示する表示装置と、利用者の行先階に着床させた後、予め定められた基準階に前記乗りかごを帰着させる帰着運転を実行するとともに、前記表示装置の表示を制御する制御部と、前記行先階を受け付けると、前記表示装置の表示モードを、前記乗りかごの実際の位置を表示する通常モードから前記乗りかごの実際の位置を表示しない非表示モードへと切り替えさせる切替命令を前記制御部に出力する表示切替命令部と、前記基準階に着床させる前に前記乗りかごを停止させる停止階としてのダミー階を決定して前記制御部に出力する停止階決定部と、を備え、前記制御部は、前記切替命令を取得すると前記表示装置の表示モードを非表示モードに切り替え、前記行先階への着床後に前記ダミー階に前記乗りかごを停止させた後、前記基準階へ帰着させ、前記利用者のホール呼びの数である呼び数が予め定められた閾値呼び数以上であると、前記表示モードを前記非表示モードから前記通常モードに切り替えるエレベータセキュリティシステム。
【請求項６】
前記乗りかごが前記基準階に着床したか否かを判定する基準階着床判定部を更に備え、前記制御部は、全ての前記行先階に着床するまでに、前記基準階着床判定部が前記基準階に着床したと判定すると、前記表示モードを前記通常モードに切り替える請求項１から請求項５のいずれか１項に記載のエレベータセキュリティシステム。
【請求項７】
前記制御部は、全ての前記ダミー階に停止させる前に前記利用者のホール呼びが登録されると、次の前記ダミー階へ停止させた後、前記ホール呼びに応答する請求項１から請求項６のいずれか１項に記載のエレベータセキュリティシステム。
【請求項８】
乗りかごに関する情報を表示する表示装置と、利用者の行先階に着床させた後、予め定められた基準階に前記乗りかごを帰着させる帰着運転を実行するとともに、前記表示装置の表示を制御する制御部と、前記行先階を受け付けると、前記表示装置の表示モードを、前記乗りかごの実際の位置を表示する通常モードから前記乗りかごの実際の位置を表示しない非表示モードへと切り替えさせる切替命令を前記制御部に出力する表示切替命令部と、前記行先階と前記基準階との間における前記乗りかごの停止時間を決定する停止時間決定部と、を備え、前記制御部は、前記切替命令を取得すると前記表示装置の表示モードを非表示モードに切り替え、前記停止時間の間、前記乗りかごを停止させた後、前記基準階への前記帰着運転を開始する、エレベータセキュリティシステム。
【手続補正２】
【補正対象書類名】明細書
【補正対象項目名】０００６
【補正方法】変更
【補正の内容】
【０００６】
上述した課題を解決し、目的を達成するために、実施形態のエレベータセキュリティシステムは、表示装置と、制御部と、表示切替命令部と、停止階決定部と、第三者検知部と、を備える。表示装置は、乗りかごに関する情報を表示する。制御部は、利用者の行先階に着床させた後、予め定められた基準階に前記乗りかごを帰着させる帰着運転を実行するとともに、前記表示装置の表示を制御する。表示切替命令部は、前記行先階を受け付けると、前記表示装置の表示モードを、前記乗りかごの実際の位置を表示する通常モードから前記乗りかごの実際の位置を表示しない非表示モードへと切り替えさせる切替命令を前記制御部に出力する。停止階決定部は、前記基準階に着床させる前に前記乗りかごを停止させる停止階としてのダミー階を決定して前記制御部に出力する。第三者検知部は、予め定められた特定利用者以外の第三者を検知する。前記制御部は、前記切替命令を取得すると前記表示装置の表示モードを非表示モードに切り替え、前記行先階への着床後に前記ダミー階に前記乗りかごを停止させた後、前記基準階へ帰着させる。前記表示切替命令部は、前記行先階を受け付けた状態で、前記第三者検知部が前記第三者を検知すると、前記表示モードを前記非表示モードに切り替えさせる前記切替命令を出力する。